(57)【要約】【課題】光源の駆動周波数を変化させることなく、スクロールノイズの発生を抑えること。【解決手段】本発明の電気光学装置は、複数の画素を有し、交流駆動する光源に光が照射される表示パネルと、供給される表示データを蓄積し、当該表示データが読み出されるメモリと、前記メモリから読み出された表示データが供給され、一の走査における期間が、当該表示データに応じて前記複数の画素を駆動する走査期間、および当該走査期間後から次の走査が開始されるまでの帰線期間によって構成されるように、前記表示パネルを走査して駆動する駆動回路と、前記駆動回路による駆動に係る走査期間を一定としつつ、１または複数の走査毎に帰線期間を所定時間範囲内で変更するように、前記駆動回路を制御するとともに、当該制御と同期して前記メモリに蓄積された表示データを読み出して前記駆動回路に供給する制御回路とを具備することを特徴とする。【選択図】図２
2009164987.tif 000002
【特許請求の範囲】
【請求項１】
複数の画素を有し、交流駆動する光源に光が照射される表示パネルと、
供給される表示データを蓄積し、当該表示データが読み出されるメモリと、
前記メモリから読み出された表示データが供給され、一の走査における期間が、当該表
示データに応じて前記複数の画素を駆動する走査期間、および当該走査期間後から次の走
査が開始されるまでの帰線期間によって構成されるように、前記表示パネルを走査して駆
動する駆動回路と、
前記駆動回路による駆動に係る走査期間を一定としつつ、１または複数の走査毎に帰線
期間を所定時間範囲内で変更するように、前記駆動回路を制御するとともに、当該制御と
同期して前記メモリに蓄積された表示データを読み出して前記駆動回路に供給する制御回
路と
を具備することを特徴とする電気光学装置。
【請求項２】
前記制御回路は、
前記メモリに供給される表示データと同期した同期信号が所定の周期で供給され、
前記走査期間の開始タイミングを規定するタイミング信号を前記駆動回路に出力し、
前記タイミング信号の出力タイミングについて、前記同期信号を基準として調整するこ
とによって、前記帰線期間を変更するように前記駆動回路を制御し、
前記タイミング信号の出力に同期して、前記メモリに蓄積された表示データを読み出し
て前記駆動回路に供給する
ことを特徴とする請求項１に記載の電気光学装置。
【請求項３】
前記メモリは、前記供給される表示データを所定データ量まで蓄積可能とし、
前記制御回路は、タイミング信号の出力タイミングを、前記同期信号が供給されたタイ
ミング以後、前記メモリに蓄積される表示データのデータ量が前記所定データ量に達する
前までの期間内で調整する
ことを特徴とする請求項２に記載の電気光学装置。
【請求項４】
前記メモリは、前記供給される表示データを所定データ量まで蓄積可能とし、
前記制御回路は、タイミング信号の出力タイミングを、前記同期信号が供給されたタイ
ミング以後であって、最後に出力されたタイミング信号に係る走査期間終了後から、前記
メモリに蓄積される表示データのデータ量が前記所定データ量に達する前までの期間内で
調整する
ことを特徴とする請求項２に記載の電気光学装置。
【請求項５】
請求項１乃至請求項４のいずれかに記載の電気光学装置と、
前記光源から照射される光が前記表示パネルに照射されることにより得られる変調光を
投射する投射レンズと
を具備するプロジェクタ。
【請求項６】
複数の画素を有し、交流駆動する光源に光が照射される表示パネルを備える電気光学装
置の駆動方法であって、
供給される表示データをメモリに蓄積した後に、前記表示データを所定のタイミングで
読み出し、
一の走査における期間が、前記メモリから読み出される表示データに応じて前記複数の
画素を駆動する走査期間、および当該走査期間後から次の走査が開始されるまでの帰線期
間によって構成されるように、前記表示パネルを走査して駆動し、
前記表示パネルの駆動に係る走査期間を一定としつつ、１または複数の走査毎に帰線期
間を所定時間範囲内で変更するように、前記表示パネルの駆動を制御し、
前記メモリに蓄積された表示データを読み出すタイミングは、前記表示パネルの駆動の
制御と同期している
ことを特徴とする電気光学装置の駆動方法。
【発明の詳細な説明】
【技術分野】
【０００１】
本発明は、プロジェクタ等の電気光学装置における表示品位を改善する技術に関する。
【背景技術】
【０００２】
液晶パネルのようなライトバルブを用いて縮小画像を生成し、この縮小画像を光学系に
よって拡大して投射するプロジェクタがある。このようなプロジェクタに用いられる光源
としては、高圧放電ランプなどが用いられ、その寿命を延ばすためにパルスや三角波を用
いた交流駆動を行っている（特許文献１参照）。これにより、光源は、極性が切り替わっ
た直後にはその光量が大きくなるため、駆動周波数の２倍の周波数で明滅している。一方
、液晶パネルは、例えば、ＰＡＬ方式では５０Ｈｚ、その倍速駆動方式では１００Ｈｚな
ど、一定の周波数で駆動され、その駆動周波数に応じて明滅している。
【０００３】
ここで、光源の駆動周波数と液晶パネルの駆動周波数との関係によっては、それぞれの
明滅の成分が干渉して低周波数成分が生成されることがあり、フリッカやスクロールする
帯（スクロールノイズ）となって、表示品質を悪化させることがあった。これを改善する
ために、液晶パネルの駆動周波数に対して、光源の駆動周波数をスクロールノイズが見え
にくい周波数とする技術が開示されている（特許文献２参照）。また、干渉成分が規則性
を持たないように、液晶パネルの駆動とは関係なく、光源の駆動周波数を変更する技術が
開示されている（特許文献３参照）。
【特許文献１】特開２００３−３６９９２号公報
【特許文献２】特開２００３−１５６７９８号公報
【特許文献３】特開２００６−７２１９６号公報
【発明の開示】
【発明が解決しようとする課題】
【０００４】
ここで、特許文献２の技術においては、液晶パネルの駆動周波数によっては、スクロー
ルノイズを低減させるための光源の駆動周波数が寿命に悪影響を与える周波数となる場合
がある。また、特許文献３の技術においては、光源の駆動周波数の変更の態様によっては
、変更後の駆動パルスが映像フレーム毎に類似しているとスクロールノイズが発生するこ
とがあったが、これを回避するためには、駆動周波数を頻繁に変える必要があり、回路負
荷が増大することになる。
【０００５】
本発明は、上述の事情に鑑みてなされたものであり、光源の駆動周波数を変化させるこ
となく、スクロールノイズの発生を抑えることができる電気光学装置、その駆動方法およ
びプロジェクタを提供することを目的とする。
【課題を解決するための手段】
【０００６】
上述の課題を解決するため、本発明は、複数の画素を有し、交流駆動する光源に光が照
射される表示パネルと、供給される表示データを蓄積し、当該表示データが読み出される
メモリと、前記メモリから読み出された表示データが供給され、一の走査における期間が
、当該表示データに応じて前記複数の画素を駆動する走査期間、および当該走査期間後か
ら次の走査が開始されるまでの帰線期間によって構成されるように、前記表示パネルを走
査して駆動する駆動回路と、前記駆動回路による駆動に係る走査期間を一定としつつ、１
または複数の走査毎に帰線期間を所定時間範囲内で変更するように、前記駆動回路を制御
するとともに、当該制御と同期して前記メモリに蓄積された表示データを読み出して前記
駆動回路に供給する制御回路とを具備することを特徴とする電気光学装置を提供する。こ
の電気光学装置によれば、１フレーム毎に、帰線期間の時間を変更し、光源が明滅のタイ
ミングと走査を開始するタイミングとを不規則に変化させることができるから、スクロー
ルノイズの発生を抑えることができる。
【０００７】
また、別の好ましい態様において、前記制御回路は、前記メモリに供給される表示デー
タと同期した同期信号が所定の周期で供給され、前記走査期間の開始タイミングを規定す
るタイミング信号を前記駆動回路に出力し、前記タイミング信号の出力タイミングについ
て、前記同期信号を基準として調整することによって、前記帰線期間を変更するように前
記駆動回路を制御し、前記タイミング信号の出力に同期して、前記メモリに蓄積された表
示データを読み出して前記駆動回路に供給するようにしてもよい。このようにすると、走
査期間の開始タイミングを規定するタイミング信号の出力タイミングを調整することによ
って帰線期間を変更することができる。
【０００８】
また、別の好ましい態様において、前記メモリは、前記供給される表示データを所定デ
ータ量まで蓄積可能とし、前記制御回路は、タイミング信号の出力タイミングを、前記同
期信号が供給されたタイミング以後、前記メモリに蓄積される表示データのデータ量が前
記所定データ量に達する前までの期間内で調整するようにしてもよい。このようにすると
、タイミング信号の出力タイミングの調整範囲をメモリに蓄積された表示データのデータ
量によって規定することができる。
【０００９】
また、別の好ましい態様において、前記メモリは、前記供給される表示データを所定デ
ータ量まで蓄積可能とし、前記制御回路は、タイミング信号の出力タイミングを、前記同
期信号が供給されたタイミング以後であって、最後に出力されたタイミング信号に係る走
査期間終了後から、前記メモリに蓄積される表示データのデータ量が前記所定データ量に
達する前までの期間内で調整するようにしてもよい。このようにすると、タイミング信号
の出力タイミングの調整範囲に、直前に出力されたタイミング信号に係る走査期間が含ま
れないようにすることができ、走査期間においてタイミング信号が出力されないようにす
ることができる。
【００１０】
なお、本発明は、いずれも電気光学装置のみならず、電気光学装置の駆動方法としても
、さらに、当該電気光学装置を有するプロジェクタとしても概念することができる。
【発明を実施するための最良の形態】
【００１１】
以下、本発明の実施形態について図面を参照して説明する。
【００１２】
＜実施形態＞
図１は、本発明の実施形態に係る電気光学装置を適用したプロジェクタの構成を示す平
面図である。図１に示すように、プロジェクタ２１００の内部には、交流駆動されるハロ
ゲンランプ等の白色光源からなるランプ２１０２が設けられている。
【００１３】
このランプ２１０２から射出された投射光は、内部に配置された３枚のミラー２１０６
および２枚のダイクロイックミラー２１０８によってＲ（赤）、Ｇ（緑）、Ｂ（青）の３
原色に分離されて、各原色に対応する表示パネル１００Ｒ、１００Ｇおよび１００Ｂにそ
れぞれ導かれる。なお、Ｂ色の光は、他のＲ色やＧ色と比較すると、光路が長いことによ
る損失を防ぐために、入射レンズ２１２２、リレーレンズ２１２３および出射レンズ２１
２４からなるリレーレンズ系２１２１を介して導かれる。
【００１４】
表示パネル１００Ｒ、１００Ｇおよび１００Ｂは、後述するように、Ｒ、Ｇ、Ｂの各色
に対応する表示データでそれぞれ駆動され、これにより、各色の縮小画像が形成される。
表示パネル１００Ｒ、１００Ｇ、１００Ｂによってそれぞれ形成された縮小画像、すなわ
ち、変調光は、ダイクロイックプリズム２１１２に３方向から入射する。そして、このダ
イクロイックプリズム２１１２において、Ｒ色およびＢ色の光は９０度に屈折する一方、
Ｇ色の光は直進する。したがって、各色の画像が合成された後、スクリーン２１２０には
、投射レンズ２１１４によってカラー画像が投射されることとなる。
【００１５】
なお、表示パネル１００Ｒ、１００Ｇおよび１００Ｂには、ダイクロイックミラー２１
０８によって、Ｒ、Ｇ、Ｂの各原色に対応する光が入射するため、カラーフィルタを設け
る必要はない。また、表示パネル１００Ｒ、１００Ｂの透過像は、ダイクロイックプリズ
ム２１１２により反射した後に投射されるのに対し、表示パネル１００Ｇの透過像はその
まま投射されるので、表示パネル１００Ｒ、１００Ｂにより形成される縮小画像と、表示
パネル１００Ｇにより形成される縮小画像とは、左右反転の関係にある。
【００１６】
次に、表示パネル１００Ｒ、１００Ｇ、１００Ｂの制御を伴う電気光学装置について説
明する。
【００１７】
図２は、電気光学装置１０の構成を示す図である。図２に示すように、電気光学装置１
０は、制御回路１２、メモリ１３、表示パネル１００Ｒ、１００Ｇ、１００Ｂ等を含む。
このうち、表示パネル１００Ｒ、１００Ｇ、１００Ｂの各々は、それぞれＲ、Ｇ、Ｂの原
色に対応して、駆動回路１４Ｒ、１４Ｇ、１４Ｂによってそれぞれ駆動される。
【００１８】
図３は、表示パネル１００Ｒ、駆動回路１４Ｒの構成を示す図である。図３においては
、表示パネル１００Ｒを例にとって説明しているが、表示パネル１００Ｒ、１００Ｇ、１
００Ｂの構成は互いに同一である。そのため、表示パネル１００Ｒについての以下の説明
は、表示パネル１００Ｇ、１００Ｂについても同様に適用されるが、表示パネル１００Ｒ
、１００Ｂにより形成される縮小画像と、表示パネル１００Ｇにより形成される縮小画像
とは、上述したように左右反転の関係となる。
【００１９】
図３に示すように、表示パネル１００Ｒでは、１０８０行の走査線１１２が横方向（Ｘ
方向）に延設され、１９２０列のデータ線１１４が縦方向（Ｙ方向）に延設されている。
縮小画像を形成する複数の画素１１０の各々は、これらの走査線１１２とデータ線１１４
との各交差に対応して配列している。このように、本実施形態において画素１１０は、縦
１０８０行×横１９２０列のマトリクス状に配列されるが、この配列に限定されるもので
はなく、複数の走査線と複数のデータ線との交差に対応して設けられていれば、どのよう
な配列としてもよい。
【００２０】
画素１１０は、液晶素子と、当該液晶素子の一端とデータ線との間でオンまたはオフ状
態となるスイッチングトランジスタ（以下、ＴＦＴという）とを有している。このうち、
液晶素子は、一端と、一定電位に保たれた他端との間で液晶を挟持した一種の容量であり
、その保持電圧の実効値に応じた透過率となる。ＴＦＴは、走査線１１２が選択されると
オンして液晶素子の一端をデータ線１１４に接続する構成となっている。
【００２１】
駆動回路１４Ｒは、走査線１１２を駆動するＹドライバ１４２と、データ線１１４を駆
動するＸドライバ１４４とに分かれ、このうち、Ｙドライバ１４２は、１、２、３、…、
１０８０行目の走査線１１２に走査信号Ｙ１、Ｙ２、Ｙ３、…、Ｙ１０８０を供給する。
詳細には、Ｙドライバ１４２は、本実施形態では、走査線１１２を１、２、３、…、１０
８０行目という順番で選択して、選択した走査線への走査信号を、上記ＴＦＴをオンさせ
るレベルとし、他の走査線への走査信号を、上記ＴＦＴをオフさせるレベルとする。これ
は、後述する制御回路１２から出力される走査制御信号Ｃｒｙによって制御される。一方
、Ｘドライバ１４４は、１、２、３、…、１９２０列目のデータ線１１４にデータ信号Ｘ
１、Ｘ２、Ｘ３、…、Ｘ１９２０を供給する。詳細には、Ｘドライバ１４４は、選択され
た走査線１１２に位置する画素１１０に対して、当該画素の階調値（表示データＤｒで指
定された階調値）に応じた電圧のデータ信号を、データ線１１４に供給する構成となって
いる。
【００２２】
これにより、当該画素における液晶素子は、階調に応じた電圧を保持することになって
、当該保持電圧に応じた透過率となる。なお、直流成分が印加されると、液晶を劣化させ
る場合があるため、液晶素子の駆動は交流駆動が原則である。そのため、Ｘドライバ１４
４は、同じ液晶素子に供給するデータ信号の電圧を、液晶素子の他端における電位に対し
て、高位側（正極性）と低位側（負極性）とで交互に切り替えて供給する。
【００２３】
ここで、本実施形態においては、駆動回路１４Ｒによって、走査線１１２が１行目から
１０８０行目まで順に選択されて、全ての画素１１０に対して電圧が供給されるまでの期
間を走査期間Ｆａという。そして、走査期間後、次に走査が開始されるまで、すなわち次
に１行目の走査線１１２が選択されるまでの期間を帰線期間Ｆｂという。これにより、一
の走査における期間は、走査期間Ｆａと帰線期間Ｆｂによって構成される。
【００２４】
図２に戻って説明を続ける。制御回路１２は、電気光学装置１０の各部の動作を制御す
るものである。詳細には、制御回路１２は、上位装置（図示省略）から同期信号Ｓｙｎｃ
に同期して供給される表示データＶｄを、一旦メモリ１３に転送して記憶させた後、表示
パネル１００Ｒ、１００Ｇ、１００Ｂの走査に同期して表示データＶｄをメモリ１３から
読み出す。制御回路１２は、表示データＶｄのうち、Ｒ成分の表示データＤｒを駆動回路
１４Ｒに、Ｇ成分の表示データＤｇを駆動回路１４Ｇに、Ｂ成分の表示データＤｂを駆動
回路１４Ｂに、それぞれ供給する。なお、このメモリ１３は、ＦＩＦＯ（Ｆｉｒｓｔ−Ｉ
ｎ  Ｆｉｒｓｔ−Ｏｕｔ）方式のメモリである。
【００２５】
また、制御回路１２は、これらの供給動作に同期するように、駆動回路１４Ｒ、１４Ｇ
、１４Ｂをそれぞれ走査制御信号Ｃｒｙ、Ｃｇｙ、Ｃｂｙにより制御する。この走査制御
信号Ｃｒｙ、Ｃｇｙ、Ｃｂｙは、それぞれ走査期間Ｆａの開始タイミングを規定するタイ
ミング信号ＤＹ、および走査期間Ｆａを規定するクロック信号ＣＬＹによって構成される
。本実施形態における制御回路１２は、走査期間を一定としつつ、走査毎に、このタイミ
ング信号ＤＹの出力タイミングを調整することにより、帰線期間Ｆｂを所定時間範囲内で
変更するように、駆動回路１４Ｒ、１４Ｇ、１４Ｂを制御する。なお、帰線期間Ｆｂの変
更は、複数の走査毎に行なわれてもよい。
【００２６】
点灯回路２０は、所定の周波数の駆動信号Ｆｌａを出力することにより、ランプ２１０
２を交流駆動する。ここで、駆動信号Ｆｌａの極性が切り替わるときには、ランプ２１０
２の高寿命化のために、駆動信号Ｆｌａのパルスの形状が調整されている（図示省略）。
この結果、ランプ２１０２は、極性が切り替わった直後にはその光量が大きくなるため、
駆動信号Ｆｌａの周波数の２倍で明滅を繰り返している。
【００２７】
次に、上述した表示データＶｄについて説明する。表示データＶｄは、一定周期で供給
される同期信号Ｓｙｎｃに同期して、一定の供給速度で供給される。表示データＶｄは、
図４に示すように、１フレームの期間ｆは、入力走査期間ｆａおよび入力帰線期間ｆｂに
より構成されている。この入力走査期間ｆａにおいては、表示データＶｄは、１行１列〜
１行１９２０列、２行１列〜２行１９２０列、３行１列〜３行１９２０列、…、１０８０
行１列〜１０８０行１９２０列という画素の順番で供給される。一方、入力帰線期間ｆｂ
においては、表示データＶｄとしては何も供給されない。この次のフレームも同様であり
、以下、この供給が繰り返される。
【００２８】
次に、本実施形態に係る電気光学装置１０の動作について走査毎に、このタイミング信
号ＤＹの出力タイミングを調整しない場合の従来技術と比較して、図５、図６を用いて説
明する。
【００２９】
図５は、従来技術におけるランプ２１０２と表示パネル１００との動作の関係を示す図
である。図５の横軸は時刻の進行を示している。従来技術においては、図５に示すように
、表示データＶｄと同期して同期信号Ｓｙｎｃが供給される。そして、駆動回路１４Ｒ、
１４Ｇ、１４Ｂは、表示データＤｒ、Ｄｇ、Ｄｂがタイミング信号ＤＹと同期して供給さ
れ、表示パネル１００Ｒ、１００Ｇ、１００Ｂにおける１回の走査の期間が、走査期間Ｆ
ａおよび帰線期間Ｆｂになるように駆動する。このとき、表示データＶｄに係る入力走査
期間ｆａと走査期間Ｆａとは同じ時間になるように、クロック信号ＣＬＹが制御される。
また、タイミング信号ＤＹは、その出力タイミングが調整されることなく、同期信号Ｓｙ
ｎｃと同じ周期で出力されるから、表示データＶｄに係る入力帰線期間ｆｂと帰線期間Ｆ
ｂとは同じ時間となる。なお、Ｑ１、Ｑ２、・・・は、各走査に対応した表示データを示
している。
【００３０】
ここで、各走査の走査期間内における駆動信号Ｆｌａの極性が切り替わるタイミングは
、その走査期間内の相対的な関係が、図中の破線の矢印で示したように、走査毎に一定量
ずつずれていく。その結果、ランプ２１０２の光量が大きくなるタイミングと、そのタイ
ミングにおいて選択されている走査線の位置が少しずつずれていき、スクロールノイズと
して認識される。このとき、１回の走査に係る期間と駆動信号Ｆｌａの半分に対応する周
期の整数倍の期間とが近い関係にある場合ほど、相対的な関係がゆっくりずれていくこと
により視認されやすくなるため、スクロールノイズの影響は大きくなる。
【００３１】
図６は、本実施形態に係る電気光学装置１０のランプ２１０２と表示パネル１００との
動作の関係を示す図である。図６の横軸は時刻の進行を示している。また、Ｑ１、Ｑ２、
・・・は、図５同様に各走査に対応した表示データを示している。上述したように、制御
回路１２は、走査期間を一定としつつ、走査毎に、このタイミング信号ＤＹの出力タイミ
ングについて、同期信号Ｓｙｎｃを基準として調整することにより、帰線期間Ｆｂを所定
時間範囲内で変更するように、駆動回路１４Ｒ、１４Ｇ、１４Ｂを制御する。また、メモ
リ１３は、所定データ量を蓄積可能であって、本実施形態においては、蓄積できるデータ
量が、表示データＶｄに係る入力帰線期間ｆｂの時間分に相当するデータ量であるものと
する。
【００３２】
制御回路１２は、タイミング信号ＤＹの出力タイミングを調整する。すなわち、供給さ
れる同期信号Ｓｙｎｃの周期と同じ周期で出力するのではなく、同期信号Ｓｙｎｃが供給
されたタイミング以降、表示データＶｄに係る入力帰線期間ｆｂの時間が経過する前まで
の期間において、ランダムに選択されたタイミングで出力する。
【００３３】
そして、タイミング信号ＤＹが出力されるまでは、供給される表示データＶｄがメモリ
１３に蓄積される。このとき、表示データＤｒ、Ｄｇ、Ｄｂの読み出しがされないから、
図６のメモリ内データ量に示すように、メモリ１３に蓄積された表示データＶｄのデータ
量が増加していく。ここで、上述のように、メモリ１３は、この入力帰線期間ｆｂの時間
分に相当するデータ量を蓄積することができる。そのため、メモリ１３は、同期信号Ｓｙ
ｎｃの供給とともに表示データＶｄの蓄積を開始してから、蓄積する表示データＶｄが蓄
積最大量（図中においてはｍａｘに相当）に達する前までに、制御回路１２によってタイ
ミング信号ＤＹが出力されることになり、蓄積した表示データＶｄが表示データＤｒ、Ｄ
ｇ、Ｄｂとして読み出される。
【００３４】
なお、タイミング信号ＤＹが出力されてから、表示データＶｄの入力走査期間ｆａが終
了するまでの期間、すなわち走査期間Ｆａと入力走査期間ｆａとが重複した期間において
は、後述するように、メモリ１３への表示データＶｄの供給速度とメモリ１３からの表示
データＤｒ、Ｄｇ、Ｄｂの読み出し速度とが同じものとなるように制御されるから、メモ
リ１３に蓄積されたデータ量は変動しない。そして、表示データＶｄに係る入力帰線期間
ｆｂにおいては、表示データＶｄがメモリ１３に供給されず、読み出されるだけになる期
間、すなわち入力帰線期間ｆｂと走査期間Ｆａとが重複した期間においては、メモリ１３
に蓄積されたデータ量が減少する。
【００３５】
駆動回路１４Ｒ、１４Ｇ、１４Ｂは、このようにして出力されるタイミング信号ＤＹと
同期して、表示データＤｒ、Ｄｇ、Ｄｂが供給され、表示パネル１００Ｒ、１００Ｇ、１
００Ｂにおける１走査の期間が、走査期間Ｆａおよび帰線期間Ｆｂ（Ｆｂ１、Ｆｂ２、・
・・）になるように駆動する。このとき、制御回路１２は、表示データＶｄに係る入力走
査期間ｆａと走査期間Ｆａとは同じ時間になるように、クロック信号ＣＬＹを制御する。
すなわち、メモリ１３への表示データＶｄの供給速度と、表示データＤｒ、Ｄｇ、Ｄｂの
読み出し速度が同じものとなる。一方、タイミング信号ＤＹは、その出力タイミングが調
整されているから、各走査期間Ｆａの後から次の走査が開始されるまでの時間、すなわち
帰線期間Ｆｂは走査毎にＦｂ１、Ｆｂ２、・・・と変更される。
【００３６】
ここで、各走査の走査期間Ｆａ内における駆動信号Ｆｌａの極性が切り替わるタイミン
グは、その走査期間Ｆａ内の相対的な関係が、図中の破線の矢印で示したように、走査毎
に不規則に変化する。その結果、ランプ２１０２の光量が大きくなるタイミングと、その
タイミングにおいて選択されている走査線の位置が変化しても、このずれの態様が不規則
に変化するため、スクロールノイズとして認識されない。
【００３７】
このように、本実施形態に係る電気光学装置１０においては、走査毎にタイミング信号
ＤＹの出力タイミングを調整して帰線期間Ｆｂを変更するから、光源の駆動周波数を変化
させることなく、スクロールノイズの発生を抑えることができる。従って、どのような駆
動周波数の駆動信号Ｆｌａが用いられたランプ２１０２を用いても、スクロールノイズの
発生を抑えることができる。
【００３８】
以上、本発明の実施形態について説明したが、本発明は以下のように、さまざまな態様
で実施可能である。
【００３９】
＜変形例１＞
上述した実施形態においては、制御回路１２は、走査毎に帰線期間Ｆｂを変更するため
に、タイミング信号ＤＹの出力タイミングを同期信号Ｓｙｎｃが供給されたタイミングか
ら、表示データＶｄに係る入力帰線期間ｆｂの時間が経過する前までの期間において、ラ
ンダムに選択されたタイミングで出力するようにしていたが、ランダムでなくてもよい。
例えば、制御回路１２が、候補となるタイミングを同期信号Ｓｙｎｃが供給されたタイミ
ングからタイミング信号ＤＹの出力タイミングまでの調整時間として規定し、この調整時
間を複数記憶しておき、走査毎に候補となる調整時間からランダム、または所定のアルゴ
リズムで選択して、その調整時間に対応してタイミング信号ＤＹを出力してもよい。
【００４０】
なお、所定のアルゴリズムは、走査毎に選択される候補となる調整時間の順番を規定す
るものであれば、どのようなアルゴリズムであってもよい。また、候補となるタイミング
は調整時間としての規定でなく、メモリ１３の蓄積データ量として規定してもよい。この
場合は、メモリ１３に表示データの蓄積が開始された後、規定されたデータ量に達したと
きにタイミング信号ＤＹが出力されるようにすればよい。そして、この規定されたデータ
量が走査毎に変更されるようにすればよい。
【００４１】
＜変形例２＞
上述した実施形態において、制御回路１２は、タイミング信号ＤＹの出力タイミングの
調整を同期信号Ｓｙｎｃが供給されたタイミングから、入力帰線期間ｆｂの時間が経過す
る前まで期間で行うように制御することにより、制御回路１２は、走査期間Ｆａを一定と
しつつ、走査毎に帰線期間Ｆｂを所定時間範囲内で変更するように制御していたが、どの
ように制御してもよい。例えば、メモリ１３をさらに多くのデータ量の蓄積が可能なもの
とすれば、入力帰線期間ｆｂの時間が経過した後のタイミングにおいても、メモリ１３の
データ量が蓄積可能最大データ量になる前までの期間であれば、タイミング信号ＤＹの出
力が可能となる。すなわち、制御回路１２は、タイミング信号ＤＹの出力タイミングを、
同期信号Ｓｙｎｃが供給されたタイミング以降、メモリ１３に蓄積される表示データＶｄ
のデータ量が蓄積最大量に達する前までの期間内で調整する。
【００４２】
ここで、タイミング信号ＤＹが、同期信号Ｓｙｎｃが供給されたタイミングから入力帰
線期間ｆｂの時間が経過した後のタイミングに出力された場合、このタイミング信号ＤＹ
に係る走査期間Ｆａが終了する前に次の同期信号Ｓｙｎｃが供給される。この場合には、
制御回路１２は、タイミング信号ＤＹの出力タイミングを、同期信号Ｓｙｎｃが供給され
たタイミング以降であって、最後に出力されたタイミング信号ＤＹに係る走査期間Ｆａ終
了後から、メモリ１３に蓄積される表示データＶｄのデータ量が蓄積最大量に達する前ま
での期間内で調整すればよい。
【００４３】
＜変形例３＞
上述した実施形態においては、電気光学装置１０は、表示パネル１００Ｒ、１００Ｇ、
１００Ｂは透過型の液晶パネルを用いたものであったが、反射型であってもよい。また、
上述した実施形態においては、電気光学装置１０がプロジェクタに適用された場合につい
て説明したが、交流駆動の光源であるバックライトを有する直視型のディスプレイに用い
られてもよい。
【図面の簡単な説明】
【００４４】
【図１】本発明の実施形態に係るプロジェクタの構成を示す平面図である。
【図２】本発明の実施形態に係る電気光学装置の構成を示すブロック図である。
【図３】本発明の実施形態に係る表示パネルの構成を示す図である。
【図４】本発明の実施形態に係る表示データを示すブロック図である。
【図５】従来の電気光学装置の動作を示す図である。
【図６】本発明の実施形態に係る電気光学装置の動作を示す図である。
【符号の説明】
【００４５】
１０…電気光学装置、１２…制御回路、１３…メモリ、１４Ｒ、１４Ｇ、１４Ｂ…駆動回
路、２０…点灯回路、１００Ｒ、１００Ｇ、１００Ｂ…表示パネル、１１０…画素、２１
００…プロジェクタ
【図１】
2009164987.tif 000003
【図２】
2009164987.tif 000004
【図３】
2009164987.tif 000005
【図４】
2009164987.tif 000006
【図５】
2009164987.tif 000007
【図６】
2009164987.tif 000008